(57)【要約】【課題】長時間暗い場所で使用しても構成部材の自発光によって確実に視認可能とする。【解決手段】本体ハウジング２においてギヤハウジング６の下方には、モータの駆動回路に電気的に接続したライト１２を、斜め前方を向いた姿勢で収納したライトユニット１１が装着されており、ギヤハウジング６の前方に装着されるバンパ１３は、蓄光顔料を混入して成形されている。よって、暗い場所での作業でライト１２を点灯させるとバンパ１３がその光を蓄光し、ライト１２を消灯するとバンパ１３が自発光する。【選択図】 図１
2010042510.tif 000002
【特許請求の範囲】
【請求項１】
ライトを備えると共に、任意の構成部材の一部または全部に自発光機能を付与して、前記ライトからの光を蓄えることで前記構成部材が自発光可能としたことを特徴とする電動工具。
【請求項２】
自発光機能を付与する構成部材を、ライトの照射側に位置するものとした請求項１に記載の電動工具。
【請求項３】
自発光機能を付与する構成部材を、操作用の構成部材及び／または他の構成部材の装着用の構成部材とした請求項１または２に記載の電動工具。
【発明の詳細な説明】
【技術分野】
【０００１】
本発明は、構成部材を自発光可能とした電動工具に関する。
【背景技術】
【０００２】
電動工具は、照明状態が良くない場所や暗い場所等でも早期に視認可能として使い勝手を良くするために、構成部材を自発光可能としたものが知られている（特許文献１）。これは、ハウジングに貼着される製造者マークに蓄光顔料等の蓄光材を塗布したり、ハウジングやハンドル、先端工具取付部等の樹脂製品に、蓄光材を混合して成形したりすることで、周囲の光を蓄えて当該部品の一部または全部を自発光可能としたものである。
【先行技術文献】
【特許文献】
【０００３】
【特許文献１】特開２００１−１３８２６９号公報
【発明の概要】
【発明が解決しようとする課題】
【０００４】
しかし、これらの蓄光材は、時間の経過と共に自発光量が減少するため、暗い場所で長く放置されると結局視認できなくなるという問題があった。
【０００５】
そこで、本発明は、長時間暗い場所で使用しても、構成部材の自発光によって確実に視認することができる電動工具を提供することを目的としたものである。
【課題を解決するための手段】
【０００６】
上記目的を達成するために、請求項１に記載の発明は、ライトを備えると共に、任意の構成部材の一部または全部に自発光機能を付与して、ライトからの光を蓄えることで構成部材が自発光可能としたことを特徴とするものである。
請求項２に記載の発明は、請求項１の目的に加えて、ライトからの光の蓄光を効率良く確実に行うために、ライトの照射側に位置する構成部材に自発光機能を付与したものである。
請求項３に記載の発明は、請求項１または２の目的に加えて、電動工具自体の視認と共に、操作位置や他の構成部材の着脱位置等も容易に視認可能とするために、操作用の構成部材及び／または他の構成部材の装着用の構成部材に自発光機能を付与したものである。
なお、本発明でいう電動工具は、ビットやバッテリーパック等、モータを内蔵した本機に対して着脱可能に装着される構成部材も含む。
【発明の効果】
【０００７】
請求項１に記載の発明によれば、ライトの点灯中は自発光機能を付与した構成部材に蓄光される。よって、暗い場所での長時間の作業であっても、作業の中断や終了によるライトの消灯の度に常に当該構成部材が自発光することとなり、作業中断時に電動工具を床等に置いたりしても確実に視認することができ、使い勝手が良くなる。
請求項２に記載の発明によれば、請求項１の効果に加えて、ライトの照射側に位置する構成部材に自発光機能を付与したことで、ライトからの光の蓄光を効率良く確実に行うことができる。
請求項３に記載の発明によれば、請求項１または２の効果に加えて、操作用の構成部材及び／または他の構成部材の装着用の構成部材に自発光機能を付与したことで、電動工具自体の視認と共に、操作位置や他の構成部材の着脱位置等も容易に視認可能となる。
【図面の簡単な説明】
【０００８】
【図１】充電式インパクトドライバの全体図である。
【発明を実施するための形態】
【０００９】
以下、本発明の実施の形態を図面に基づいて説明する。
図１は、電動工具の一例である充電式インパクトドライバの全体図で、充電式インパクトドライバ（以下「インパクトドライバ」という）１は、後方（図１の右側）にモータを内蔵したモータハウジング３と、モータハウジング３の下方に延設され、スイッチを内蔵したハンドル４とを合成樹脂で一体成形した左右二つ割りの本体ハウジング２を有し、モータハウジング３の前方には、減速機構等を内蔵して前端にスピンドル５を突設させた金属製のギヤハウジング６が連結されている。一方、ハンドル４の下端に形成した装着部７には、電源となる蓄電池を収容したバッテリーパック８が着脱可能に装着されている。９は押込み操作でハンドル４内のスイッチをＯＮさせるトリガー、１０はハンドル４の下方に設けられた吊り下げ用のフックである。
【００１０】
また、本体ハウジング２において、ギヤハウジング６の下方部分には、ライトユニット１１が連結されている。このライトユニット１１は、モータの駆動回路に電気的に接続したＬＥＤ等のライト１２を、前方を向いた姿勢で収納したケースで、トリガー９を押し込んでモータを駆動させると同時にライト１２が点灯して、スピンドル５の先端に装着されたビットの前方を照射するようになっている。
そして、ギヤハウジング６の前方には、自発光機能を付与した構成部材としてのバンパ１３が装着されている。このバンパ１３は、ギヤハウジング６の前端に凹設されたリング溝１４に着脱可能に嵌合されるゴム製のリング体で、蓄光顔料を混入して成形しており、周囲の光を蓄光して全体が自発光可能となっている。
【００１１】
以上の如く構成されたインパクトドライバ１においては、暗い場所でネジ締め等の作業を行うと、モータの駆動と同時にライト１２が点灯して作業箇所を照射し、ライト１２の点灯中はバンパ１３に蓄光される。よって、暗い場所での長時間の作業であっても、作業の中断や終了によるライト１２の消灯の度に常にバンパ１３が自発光することとなり、作業中断時にインパクトドライバ１を床等に置いたりしても確実に視認することができ、使い勝手が良くなる。
また、ライト１２の照射側に位置するバンパ１３に自発光機能を付与したことで、ライト１２からの光の蓄光が効率良く確実に行われるようになっている。
【００１２】
なお、自発光機能を付与する構成部材としては、上記バンパ１３の他、モータハウジング３、ギヤハウジング６、ライトユニット１１やトリガー９、ハンドル４、バッテリーパック８の装着部７の側面、さらにはフック１０やバッテリーパック８のケース、ビット等の着脱部材等、任意の構成部材を１または複数選択すれば良い。この場合、合成樹脂製であれば蓄光材を混入して成形したり、合成樹脂製や金属製の構成部材の表面の一部や全体に蓄光材を塗布したりすることで自発光機能を付与できる。特に、上記バンパのように着脱可能な構成部材とすると、劣化等しても容易に交換が可能となり至便である。
【００１３】
また、電動工具の種類もインパクトドライバに限らず、電動ドリルやドライバドリル、インパクトレンチ等の他の電動工具にも適用できるし、充電式電動工具に限らず、交流式のものも当然採用可能である。よって、自発光機能を付与する構成部材も、電動工具の種類にかかわらず任意の構成部材を１または複数選択して、上記形態と同様に形成可能である。
さらに、トリガーや切替レバー等の操作用の構成部材や、バッテリーパックやフック、ビット等の装着用の構成部材に自発光機能を付与すれば、電動工具自体の視認と共に、操作位置や着脱位置等も容易に視認できるため、好ましい形態となる。
【符号の説明】
【００１４】
１・・充電式インパクトドライバ、２・・本体ハウジング、３・・モータハウジング、４・・ハンドル、６・・ギヤハウジング、８・・バッテリーパック、９・・トリガー、１１・・ライトユニット、１２・・ライト、１３・・バンパ。
【図１】
2010042510.tif 000003